(57)【要約】  無線通信システムが、拡張専用チャンネル（Ｅ−ＤＣＨ）データ送信を支援するもので、無線送受信装置（ＷＴＲＵ）（１０２）、少なくとも１つのノードＢ（１０４）および無線ネットワーク制御装置（ＲＮＣ）（１０６）を含む。ＷＴＲＵはバッファ（１２６）、データライフスパンタイマー（１２４）、データ再送カウンタ（１３０）、ハイブリッド自動再送要求（Ｈ−ＡＲＱ）プロセス（１２８）および制御装置（１２２）を含む。そのタイマーは、バッファ内に格納された少なくとも１つのデータブロックに対してライフスパンを設定する。満了直前であるライフスパンタイマーに関連付けられたデータブロックに対して物理リソースが割り振られていない場合には、ＷＴＲＵは緊急チャンネル割り振り要求を送る。物理リソースが割り振られている場合には、そのデータブロックは他のデータブロックに対して優先的に送信される。ライフスパンタイマーが満了する場合には、またはノードＢによってデータブロックが成功裡に受信されたことを示すフィードバック情報をＷＴＲＵが受信する場合には、データブロックは破棄される。
2007536823.tif 000002
【特許請求の範囲】
【請求項１】
無線送受信装置（ＷＴＲＵ）および少なくとも１つのノードＢを含む無線通信システムにおいて、拡張専用チャンネル（Ｅ−ＤＣＨ）のデータ送信を支援するために、前記ＷＴＲＵ内の少なくとも１つのデータライフスパンタイマーを利用する方法であって、
（ａ）前記ＷＴＲＵ内のバッファにデータブロックを格納すること、
（ｂ）前記データブロックに対してデータライフスパンタイマーを起動すること、および
（ｃ）前記データライフスパンタイマーが満了するとき、前記データブロックを破棄すること
を含むことを特徴とする方法。
【請求項２】
（ｄ）ハイブリッド自動再送要求（Ｈ−ＡＲＱ）プロセスを割り当てることで、前記データブロックの送信を支援すること、
（ｅ）前記データライフスパンタイマーが満了するとき、前記Ｈ−ＡＲＱプロセスを解除すること、および
（ｆ）前記データブロックが破棄され、前記Ｈ−ＡＲＱプロセスが利用可能であることを示すメッセージを前記ノードＢに送ること
をさらに含むことを特徴とする請求項１に記載の方法。
【請求項３】
（ｄ）前記データブロックがすでに送信され、かつ前記データライフスパンタイマーが満了直前でない場合、前記データブロックの送信に対する通常のハイブリッド自動再送要求（Ｈ−ＡＲＱ）の操作を初期化すること
をさらに含むことを特徴とする請求項１に記載の方法。
【請求項４】
前記無線通信システムは、無線ネットワーク制御装置（ＲＮＣ）をさらに含み、前記方法は、
（ｄ）前記ＲＮＣが、前記データライフスパンタイマーを設定すること
をさらに含むことを特徴とする請求項１に記載の方法。
【請求項５】
前記データライフスパンタイマーは、複数の転送チャンネル（ＴｒＣＨｓ）の各々に対して設定されることを特徴とする請求項４に記載の方法。
【請求項６】
前記データライフスパンタイマーは、複数の論理チャンネルの各々に対して設定されることを特徴とする請求項４に記載の方法。
【請求項７】
前記データライフスパンタイマーは、最大許容送信レイテンシ、確立した無線リンク制御（ＲＬＣ）設定および転送チャンネルブロックエラーレート（ＢＬＥＲ）のうち少なくとも１つに基づいてセットされることを特徴とする請求項１に記載の方法。
【請求項８】
（ｄ）前記データライフスパンタイマーが満了したか否かを定期的に判定すること
をさらに含むことを特徴とする請求項１に記載の方法。
【請求項９】
前記無線通信システムは、無線ネットワーク制御装置（ＲＮＣ）をさらに含み、前記方法は、
（ｄ）前記データライフスパンタイマーが満了したことを示すメッセージを前記ＲＮＣに送ること
をさらに含むことを特徴とする請求項１に記載の方法。
【請求項１０】
無線送受信装置（ＷＴＲＵ）および少なくとも１つのノードＢを含む無線通信システムにおいて、拡張専用チャンネル（Ｅ−ＤＣＨ）のデータ送信を支援するために、前記ＷＴＲＵ内の少なくとも１つのデータライフスパンタイマーを利用する方法であって、
（ａ）前記ＷＴＲＵ内のバッファにデータブロックを格納すること、
（ｂ）前記データブロックに対してデータライフスパンタイマーを起動すること、および
（ｃ）前記データブロックが、前記ノードＢにより成功裡に受信されたことを示すフィードバック情報を前記ＷＴＲＵが受信するとき、前記データライフスパンタイマーが満了する前に前記データブロックを破棄すること
を含むことを特徴とする方法。
【請求項１１】
（ｄ）前記データブロックが前記ノードＢにより成功裡に受信されたことを示すフィードバック情報を前記ＷＴＲＵが受信するとき、前記データブロックに対する前記データライフスパンタイマーをリセットすること
をさらに含むことを特徴とする請求項１０に記載の方法。
【請求項１２】
（ｄ）ハイブリッド自動再送要求（Ｈ−ＡＲＱ）プロセスを割り当てることで、前記データブロックの送信を支援すること、および
（ｅ）前記データブロックが前記ノードＢにより成功裡に受信されたことを示すフィードバック情報を前記無線送受信装置が受信するとき、前記Ｈ−ＡＲＱプロセスを解除すること
をさらに含むことを特徴とする請求項１０に記載の方法。
【請求項１３】
無線送受信装置（ＷＴＲＵ）および少なくとも１つのノードＢを含む無線通信システムにおいて、拡張専用チャンネル（Ｅ−ＤＣＨ）のデータ送信を支援するために、前記ＷＴＲＵ内の少なくとも１つのデータライフスパンタイマーを利用する方法であって、
（ａ）前記ＷＴＲＵ内のバッファにデータブロックを格納すること、
（ｂ）ハイブリッド自動再送要求（Ｈ−ＡＲＱ）プロセスを割り当てることで、前記データブロックの送信を支援すること、
（ｃ）前記データブロックに対してデータライフスパンタイマーを起動すること、
（ｄ）前記データブロックがすでに送信されたが、前記ノードＢにより成功裡に受信されなかった場合、設定された再送信制限に到達したか否かを判定すること、
（ｅ）再送信制限に到達し、かつライフスパンタイマーが満了しなかった場合、前記Ｈ−ＡＲＱプロセスを再び初期化すること、および
（ｆ）前記再送信制限に到達せず、前記データライフスパンタイマーが満了直前でない場合、前記データブロックの送信に対する通常のＨ−ＡＲＱ操作を初期化すること
を含むことを特徴とする方法。
【請求項１４】
無線送受信装置（ＷＴＲＵ）および少なくとも１つのノードＢを含む無線通信システムにおいて、拡張専用チャンネル（Ｅ−ＤＣＨ）のデータ送信を支援するために、前記ＷＴＲＵ内の少なくとも１つのデータライフスパンタイマーを利用する方法であって、
（ａ）前記ＷＴＲＵ内のバッファにデータブロックを格納すること、
（ｂ）前記データライフスパンタイマーを起動すること、および
（ｃ）前記ライフスパンタイマーが満了直前である場合、前記データブロックの送信を支援するために、物理リソースが割り振られているか否かを判定すること
を含むことを特徴とする方法。
【請求項１５】
（ｄ）前記物理リソースが割り振られていない場合、前記データブロックの送信を支援するために、前記ノードＢに対して緊急チャンネル割り振り要求を送ること
をさらに含むことを特徴とする請求項１４に記載の方法。
【請求項１６】
（ｄ）前記物理リソースが割り振られている場合、前記データブロックを他のデータブロックに対して優先的に送信すること
をさらに含むことを特徴とする請求項１４に記載の方法。
【請求項１７】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために、少なくとも１つのデータライフスパンタイマーを利用し、前記ＷＴＲＵは、
（ａ）データブロックを格納するバッファ、
（ｂ）前記データブロックのライフスパンを設定するデータライフスパンタイマー、および
（ｃ）前記バッファおよび前記データライフスパンタイマーと通信する制御装置であって、前記データライフスパンタイマーが満了するときに前記データブロックを破棄する制御装置
を備えることを特徴とするＷＴＲＵ。
【請求項１８】
（ｄ）前記制御装置により割り当てられ、前記データブロックの送信を支援するハイブリッド自動再送要求（Ｈ−ＡＲＱ）プロセスであって、前記データライフスパンタイマーが満了するとき、前記制御装置が解除するＨ−ＡＲＱプロセス
をさらに備えることを特徴とする請求項１７に記載のＷＴＲＵ。
【請求項１９】
前記ＷＴＲＵは、前記データブロックが破棄され、前記Ｈ−ＡＲＱプロセスが利用可能であることを示すメッセージを前記ノードＢに送ることを特徴とする請求項１８に記載のＷＴＲＵ。
【請求項２０】
前記ＷＴＲＵは、前記データライフスパンタイマーが満了したことを示すメッセージを無線ネットワーク制御装置（ＲＮＣ）に送ることを特徴とする請求項１７に記載のＷＴＲＵ。
【請求項２１】
前記制御装置は、前記データブロックがすでに送信され、かつ前記データライフスパンタイマーが満了直前でない場合、前記データブロックの送信のために通常のハイブリッド自動再送要求（Ｈ−ＡＲＱ）操作を初期化することを特徴とする請求項１７に記載のＷＴＲＵ。
【請求項２２】
前記無線通信システムは、前記データライフスパンタイマーを設定する無線ネットワーク制御装置（ＲＮＣ）をさらに含むことを特徴とする請求項１７に記載のＷＴＲＵ。
【請求項２３】
前記データライフスパンタイマーは、複数の転送チャンネル（ＴｒＣＨｓ）の各々に対して設定されることを特徴とする請求項２２に記載のＷＴＲＵ。
【請求項２４】
前記データライフスパンタイマーは、複数の論理チャンネルの各々に対して設定されることを特徴とする請求項２２に記載のＷＴＲＵ。
【請求項２５】
前記制御装置は、最大許容送信レイテンシ、確立した無線リンク制御（ＲＬＣ）設定および転送チャンネルブロックエラーレート（ＢＬＥＲ）のうち少なくとも１つに基づいて前記データライフスパンタイマーをセットすることを特徴とする請求項１７に記載のＷＴＲＵ。
【請求項２６】
前記制御装置は、前記データライフスパンタイマーが満了したか否かを定期的に判定することを特徴とする請求項１７に記載のＷＴＲＵ。
【請求項２７】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために、少なくとも１つのデータライフスパンタイマーを利用し、前記ＷＴＲＵは、
（ａ）データブロックを格納するバッファと、
（ｂ）前記データブロックのライフスパンを設定するデータライフスパンタイマーと、
（ｃ）前記バッファおよび前記データライフスパンタイマーと通信する制御装置であって、前記データブロックが前記ノードＢにより成功裡に受信されたことを示すフィードバック情報を前記ＷＴＲＵが受信するとき、前記データライフスパンタイマーが満了する前に前記データブロックを破棄する、制御装置と
を備えることを特徴とするＷＴＲＵ。
【請求項２８】
前記制御装置は、前記データブロックが前記ノードＢにより成功裡に受信されたことを示すフィードバック情報を前記ＷＴＲＵが受信するとき、前記データライフスパンタイマーをリセットすることを特徴とする請求項２７に記載のＷＴＲＵ。
【請求項２９】
（ｄ）前記制御装置によって割り当てられ、前記データブロックの送信を支援するハイブリッド自動再送要求（Ｈ−ＡＲＱ）プロセスであって、前記データブロックが前記ノードＢにより成功裡に受信されたことを示すフィードバック情報を前記ＷＴＲＵが受信するとき、前記制御装置が解除するＨ−ＡＲＱプロセス
をさらに備えることを特徴とする請求項２７に記載のＷＴＲＵ。
【請求項３０】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために、少なくとも１つのデータライフスパンタイマーを利用し、前記ＷＴＲＵは、
（ａ）データブロックを格納するバッファと、
（ｂ）前記データブロックのライフスパンを設定するデータライフスパンタイマーと、
（ｃ）前記データブロックの送信を支援するハイブリッド自動再送要求（Ｈ−ＡＲＱ）プロセスと、
（ｄ）前記バッファおよび前記データライフスパンタイマーと通信する制御装置であって、前記制御装置は、前記データライフスパンタイマーを起動し、かつ前記データブロックに前記Ｈ−ＡＲＱプロセスを割り当て、（ｉ）前記データブロックがすでに送信されたが前記ノードＢにより成功裡に受信されなかった場合、前記制御装置は設定された再送信制限に到達したか否かを判定し、（ｉｉ）前記再送信制限に到達し、かつ前記ライフスパンタイマーが満了しなかったと前記制御装置が判定する場合、前記制御装置は、前記Ｈ−ＡＲＱプロセスを再初期化し、かつ（ｉｉｉ）前記再送信制限に到達せず、前記ライフスパンタイマーが満了直前でない場合、前記制御装置は、前記データブロックを送信するために通常のＨ−ＡＲＱ操作を初期化する、制御装置と
を備えることを特徴とするＷＴＲＵ。
【請求項３１】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために、少なくとも１つのデータライフスパンタイマーを利用し、前記ＷＴＲＵは、
（ａ）データブロックを格納するバッファと、
（ｂ）前記データブロックのライフスパンを設定するデータライフスパンタイマーと、および
（ｃ）前記バッファおよび前記データライフスパンタイマーと通信する制御装置であって、前記制御装置は、前記データライフスパンタイマーが満了直前であるときに、前記データブロックの送信を支援するために、物理リソースが割り振られたか否かを判定する、制御装置と
を備えることを特徴とするＷＴＲＵ。
【請求項３２】
物理リソースが割り振られていないと前記制御装置が判定する場合、前記データブロックの送信を支援するために、前記ＷＴＲＵは前記ノードＢに対して緊急チャンネル割り振り要求を送ることを特徴とする請求項３１に記載のＷＴＲＵ。
【請求項３３】
物理リソースが割り振られていると前記制御装置が判定する場合、前記制御装置は前記データブロックを他のデータブロックに対して優先的に送信することを特徴とする請求項３１に記載のＷＴＲＵ。
【請求項３４】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために少なくとも１つのデータライフスパンタイマーを利用し、前記ＷＴＲＵ内の集積回路（ＩＣ）は、
（ａ）データブロックを格納するバッファと、
（ｂ）前記データブロックのライフスパンを設定するデータライフスパンタイマーと、  
（ｃ）前記バッファおよび前記データライフスパンタイマーと通信する制御装置であって、前記データライフスパンタイマーが満了するときに、前記データブロックを破棄する、制御装置と
を備えることを特徴とする集積回路（ＩＣ）。
【請求項３５】
（ｄ）前記制御装置により割り当てられて、前記データブロックの送信を支援するハイブリッド自動再送要求（Ｈ−ＡＲＱ）プロセスであって、前記データライフスパンタイマーが満了するとき、前記制御装置が解除するＨ−ＡＲＱプロセス
をさらに備えることを特徴とする請求項３４に記載のＩＣ。
【請求項３６】
前記ＷＴＲＵは、前記データブロックが破棄されて、前記Ｈ−ＡＲＱプロセスが利用可能であることを示すメッセージを前記ノードＢに送ることを特徴とする請求項３５に記載のＩＣ。
【請求項３７】
前記ＷＴＲＵは、前記データライフスパンタイマーが満了したことを示すメッセージを無線ネットワーク制御装置（ＲＮＣ）に送ることを特徴とする請求項３４に記載のＩＣ。
【請求項３８】
前記データブロックがすでに送信され、前記データライフスパンタイマーが満了直前でない場合、前記制御装置は、前記データブロックの送信のために通常のハイブリッド自動再送要求（Ｈ−ＡＲＱ）操作を初期化することを特徴とする請求項３４に記載のＩＣ。
【請求項３９】
前記無線通信システムは、前記データライフスパンタイマーを設定する無線ネットワーク制御装置（ＲＮＣ）をさらに含むことを特徴とする請求項３４に記載のＩＣ。
【請求項４０】
前記データライフスパンタイマーは、複数の転送チャンネル（ＴｒＣＨｓ）の各々に対して設定されることを特徴とする請求項３９に記載のＩＣ。
【請求項４１】
前記データライフスパンタイマーは、複数の論理チャンネルの各々に対して設定されることを特徴とする請求項３９に記載のＩＣ。
【請求項４２】
前記制御装置は、最大許容送信レイテンシ、確立した無線リンク制御（ＲＬＣ）設定および転送チャンネルブロックエラーレート（ＢＬＥＲ）のうち少なくとも１つに基づいて、前記データライフスパンタイマーをセットすることを特徴とする請求項３４に記載のＩＣ。
【請求項４３】
前記制御装置は、前記データライフスパンタイマーが満了したか否かを定期的に判定することを特徴とする請求項３４に記載のＩＣ。
【請求項４４】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために、少なくとも１つのデータライフスパンタイマーを利用し、前記ＷＴＲＵ内の集積回路（ＩＣ）は、
（ａ）データブロックを格納するバッファと、
（ｂ）前記データブロックのライフスパンを設定するデータライフスパンタイマーと、
（ｃ）前記バッファおよび前記データライフスパンタイマーと通信する制御装置であって、前記データブロックが前記ノードＢにより成功裡に受信されたことを示すフィードバック情報を前記ＷＴＲＵが受信するとき、前記データライフスパンタイマーが満了する前に前記データブロックを破棄する、制御装置と
を備えることを特徴とする集積回路（ＩＣ）。
【請求項４５】
前記制御装置は、前記データブロックが前記ノードＢにより成功裡に受信されたことを示すフィードバック情報を前記ＷＴＲＵが受信するとき、前記データライフスパンタイマーをリセットすることを特徴とする請求項４４に記載のＩＣ。
【請求項４６】
（ｄ）前記制御装置によって割り当てられることで、前記データブロックの送信を支援するハイブリッド自動再送要求（Ｈ−ＡＲＱ）プロセスであって、前記データブロックが前記ノードＢにより成功裡に受信されたことを示すフィードバック情報を前記ＷＴＲＵが受信するとき、前記制御装置が解除する、Ｈ−ＡＲＱプロセス
をさらに備えることを特徴とする請求項４４に記載のＩＣ。
【請求項４７】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために、少なくとも１つのデータライフスパンタイマーを利用し、前記ＷＴＲＵ内の集積回路（ＩＣ）は、
（ａ）データブロックを格納するバッファと、
（ｂ）前記データブロックのライフスパンを設定するデータライフスパンタイマーと、
（ｃ）前記データブロックの送信を支援するハイブリッド自動再送要求（Ｈ−ＡＲＱ）プロセスと、
（ｄ）前記バッファおよび前記データライフスパンタイマーと通信する制御装置であって、前記制御装置は、前記データライフスパンタイマーを起動し、かつ前記データブロックに前記Ｈ−ＡＲＱプロセスを割り当て、（ｉ）前記データブロックがすでに送信されたが前記ノードＢにより成功裡に受信されなかった場合、前記制御装置は設定した再送信制限に到達したか否かを判定し、（ｉｉ）前記再送信制限に到達し、前記ライフスパンタイマーが満了しなかったと前記制御装置が判定する場合、前記制御装置は前記Ｈ−ＡＲＱプロセスを再初期化し、かつ（ｉｉｉ）前記再送信制限に到達せず、前記ライフスパンタイマーが満了直前でない場合、前記制御装置は前記データブロックを送信するために通常のＨ−ＡＲＱ操作を初期化する、制御装置と
を備えることを特徴とする集積回路（ＩＣ）。
【請求項４８】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために少なくとも１つのデータライフスパンタイマーを利用し、前記ＷＴＲＵ内の集積回路（ＩＣ）は、
（ａ）データブロックを格納するバッファと、
（ｂ）前記データブロックのライフスパンを設定するデータライフスパンタイマーと、
（ｃ）前記バッファおよび前記データライフスパンタイマーと通信する制御装置であって、前記データライフスパンタイマーが満了直前であるときに、前記データブロックを送信するのを支援するために物理リソースが割り振られたか否かを判定する、制御装置と
を備えることを特徴とする集積回路（ＩＣ）。
【請求項４９】
物理リソースが割り振られていないと前記制御装置が判定する場合、前記データブロックの送信を支援するために、前記ＩＣは前記ノードＢに対して緊急チャンネル割り振り要求を送ることを特徴とする請求項４８に記載のＩＣ。
【請求項５０】
物理リソースが割り振られていると前記制御装置が判定する場合、前記制御装置は前記データブロックを他のデータブロックに対して優先的に送信することを特徴とする請求項４８に記載のＩＣ。
【発明の詳細な説明】
【技術分野】
【０００１】
本発明は、少なくとも１つの無線送受信装置（ＷＴＲＵ）、少なくとも１つのノードＢおよび無線ネットワーク制御装置（ＲＮＣ）を含む無線通信システムに関する。より詳細には、本発明は拡張専用チャンネル（Ｅ−ＤＣＨ）送信を支援するためのデータライフスパンタイマーを実装実施する方法および装置に関する。
【背景技術】
【０００２】
上りリンク（ＵＬ）のカバレッジ、スループット、および送信レイテンシを改善する方法は現在、第３世代パートナーシッププロジェクト（３ＧＰＰ：第３世代移動体通信システムの標準化プロジェクトによる移動体通信システムの標準規格）のリリース６で検討されている。この目標を達成するため、ＷＴＲＵに対するＵＬのスケジューリングおよび割り当てを行う責任責務をノードＢが引き継ぐであろう。ノードＢは短期間方式ではＲＮＣよりも効率的な決定を行い、ＵＬの無線リソースを管理することができる。ＲＮＣは、拡張上りリンク（ＥＵ）サービスを用いてセルを全体的に大まかに制御し続け、その結果ＲＮＣは呼承認制御(call admission control)および輻輳制御（congestion control）のような機能を実行できる。
【０００３】
ハイブリッド自動再送要求（Ｈ−ＡＲＱ）技術は、低いレイテンシ（待ち時間）で送信および再送信を生成する手続きを提供する。Ｈ−ＡＲＱ技術の主な態様は、送信失敗したデータを後続の再送信に滑らかに組み合わせて、受信が成功する確率を高めることである。
【発明の開示】
【発明が解決しようとする課題】
【０００４】
送信に対するＨ−ＡＲＱ方式とノードＢのスケジューリングとを使用するとき、データ送信を成功させるために必要な時間は様々であろう。非常に低いレイテンシの送信を要求するアプリケーションに対しては、著しく遅延した送信によって逆効果悪影響を受ける可能性がある。例えば、遅延したデータは失敗した送信と考えられ、最終的にアプリケーションにより不必要に再送信される可能性がある。従って、送信レイテンシを制限するメカニズムが求められてい要求される。
【課題を解決するための手段】
【０００５】
本発明は、Ｅ−ＤＣＨデータ送信を支援する無線通信システムで実装実施される。無線通信システムは、無線送受信装置（ＷＴＲＵ）、少なくとも１つのノードＢおよび無線ネットワーク制御装置（ＲＮＣ）を含む。ＷＴＲＵはデータバッファ、データライフスパンタイマー、データ再送カウンタ（data transmission counter）、ハイブリッド自動再送要求（Ｈ−ＡＲＱ）プロセスおよび制御装置を含む。ライフスパンタイマーは、バッファ内に格納された少なくとも１つのデータブロックにライフスパン（寿命）を設定する。ＷＴＲＵは以下のように構成される。即ち、（ｉ）ライフスパンタイマーが満了したか否かを定期的に判定すること、（ｉｉ）データブロックが前もって送信すでに送信されたか否かを判定すること、（ｉｉｉ）ライフスパンタイマーが満了直前であるか否かを判定すること、および（ｉｖ）物理リソース（物理資源）が割り振られているか否かを判定することである。物理リソースが、満了直前のライフスパンタイマーに関連付けられたデータブロックに割り振られていない場合、ＷＴＲＵは緊急チャンネル割り振り（allocateアロケーション）要求をノードＢに送る。物理リソースが割り振られている場合、データブロックは他のデータブロックに対して優先的に送信される。ライフスパンタイマーが満了する場合、またはデータブロックがノードＢにより成功裡に受信されたことを示すフィードバック情報をＷＴＲＵが受信する場合、データブロックは破棄される。
【発明を実施するための最良の形態】
【０００６】
本発明は、実施例で示した一例として例示した好適な実施態様の以下の説明からより詳細に理解することができ、その実施態様は以下の付属添付図面を参照して理解することができる。
【０００７】
以降、用語「ＷＴＲＵ」は、これらに限らないが、ユーザ機器（ＵＥ：user equipment）、モバイル移動局、固定または移動加入者ユニット（mobile subscriber unit）、ポケットベル（pager）、あるいは無線環境で操作(オペレーション)可能な任意の他のタイプの装置を含む。以降引用するとき、用語「ノードＢ」は、これらに限らないが、基地局、サイト制御装置、アクセスポイント、または無線環境内の任意の他のタイプのインターフェース装置（interface device）を含む。
【０００８】
本発明の特徴は、集積回路（ＩＣ）に組み込むことができ、または多数の相互接続コンポーネントを備える回路内で構成することであろうができることである。
【０００９】
図１は、本発明に従った無線通信システム１００のブロックダイアグラム（ブロック図）である。システム１００は少なくとも１つのＷＴＲＵ１０２、少なくとも１つのノードＢ１０４および少なくとも１つのＲＮＣ１０６から成るを備える。ＷＴＲＵ１０２は制御装置１２２、データライフスパンタイマー１２４、バッファ１２６、複数のＨ−ＡＲＱプロセス１２８および任意に状況に応じて隋意的に再送カウンタ１３０を備える。制御装置１２２は、データライフスパンタイマー１２４の初期化およびＨ−ＡＲＱプロセス１２８の割り振りを含むデータ送信手順全体を制御する。
【００１０】
ＲＮＣ１０６は、ノードＢ１０４およびＷＴＲＵ１０２に対するＥＵパラメータを構成設定することで、システム１００のＥＵ操作全体を制御する。そのようなパラメータには、転送チャンネル（ＴｒＣＨ）または論理チャンネルデータに対するライフスパン・タイム（耐久年数寿命）、初期送信電力レベル、ＥＵの最大許容送信電力またはノードＢ１０４毎の利用可能なチャンネルリソースなどがある。Ｅ−ＤＣＨは、ＷＴＲＵ１０２とノードＢ１０４との間のＥＵ送信を支援するために設定される。
【００１１】
Ｅ−ＤＣＨ送信に対して、ＷＴＲＵ１０２はＵＬＥＵシグナリングチャンネル（signaling channel）１１０経由でノードＢ１０４にチャンネル割り振り要求を送る。チャンネル割り振り要求（または他のＵＬＥＵシグナリング）は、ＵＬＥＵシグナリングチャンネル１１０の代わりにＥ−ＤＣＨ１０８経由で送信されてもよい。それに応答して、ノードＢ１０４は下りリンク（ＤＬ）ＥＵシグナリングチャンネル１１２経由でＷＴＲＵ１０２にチャンネル割り振り情報を送る。ＥＵ無線リソースがＷＴＲＵ１０２に割り振られると、ＷＴＲＵ１０２はＥ−ＤＣＨ１０８経由でデータを送信する。Ｅ−ＤＣＨデータ送信に応答して、ノードＢ１０４はＨ−ＡＲＱの操作に対する確認応答（ＡＣＫ）または非確認応答（ＮＡＣＫ）メッセージをＤＬＥＵシグナリングチャンネル１１２経由で送る。  
図２は、本発明に従ってＥ−ＤＣＨ送信を支援する目的で、ＷＴＲＵ１０２内でデータライフスパンタイマー１２４を実装実施するプロセス２００のフローダイアグラム（流れ図）である。ＷＴＲＵ１０２は、複数のデータライフスパンタイマー１２４を使用して多数のＥ−ＤＣＨ送信を同時に処理することができる。
【００１２】
Ｅ−ＤＣＨ１０８経由で新規のデータブロックが送信用に受信されると、制御装置１２２はそのデータブロックに対してデータライフスパンタイマー１２４を起動し、Ｈ−ＡＲＱプロセス１２８をそのデータブロックに関連付け、その新規のデータブロックはバッファ１２６で待機する（ステップ２０２）。ＲＮＣは、各Ｅ−ＤＣＨのＴｒＣＨまたは各Ｅ−ＤＣＨの論理チャンネルに対してデータのライフスパンを設定構成する。ＭＡＣまたはＲＬＣでＵＬ送信を受信すると、そのタイマーが各送信に対して初期化される。
【００１３】
Ｅ−ＤＣＨデータライフスパンタイマー１２４の値は、ＷＴＲＵ１０２内の制御装置１２２が最大許容送信レイテンシ（待ち時間）、ＲＬＣの構成設定、およびＴｒＣＨブロックエラーレート（誤り率）（ＢＬＥＲ）などのような、いくつかの要素を考慮して判定決定することができる。例えば、最大許容レイテンシは、配信前にバッファ可能な期間を判定決定する。さらに、ＢＬＥＲは、送信レイテンシに影響するＨ−ＡＲＱの再送信回数を判定決定する。データライフスパンタイマー１２４に割り当てた値は、ＷＴＲＵ１０２におけるＥＵ（拡張上りリンク）の媒体アクセス制御エンティティー（ＭＡＣ−ｅ）外部の外側でのＷＴＲＵのデータ処理を考慮することもできる。
【００１４】
アプリケーションのプロトコル（例えば、ＴＣＰ／ＩＰ：通信制御プロトコル／インタネット・プロトコル）は最小の送信レイテンシと送信レイテンシにおける最小の分散とを要求し、最大のスループットを達成する。送信遅延が生じるときには、データが失敗および破棄されることが予期され、遅延および再送信されることは予期されない。このことにより、結果としてアプリケーションのビヘイビア（働き）が非効率的になる。
【００１５】
ステップ２０４の各ＴＴＩ（有効期間）に対して、制御装置１２２はＷＴＲＵ１０２のバッファ１２６内のデータブロックに対するデータライフスパンタイマーが満了したか否かを判定する（ステップ２０６）。データライフスパンタイマー１２４が満了した場合、制御装置１２２はそのデータブロックを破棄し、関連付けられるＨ−ＡＲＱプロセス１２８を解除する（ステップ２０８）。ＷＴＲＵ１０２はこのイベント（事象、出来事）を、ＲＮＣ１０６またはノードＢ１０４のいずれかに通知することができる（ステップ２１０）。ＷＴＲＵ１０２はさらにノードＢに、一意な指示を有するチャンネル割り振り要求を送ることで、物理リソースの割り振りが十分でないことを通知することができる。
【００１６】
ステップ２０６を再び参照すると、データブロックに対するデータライフスパンタイマー１２４が満了していない場合、制御装置１２２は、ＷＴＲＵ１０２のバッファ１２６内のデータブロックがＷＴＲＵ１０２により前もって送信すでに送信されたか否かを判定する（ステップ２１２）。データブロックが前もって送信すでに送信された場合、データブロックに関連付けられるデータフィードバック情報がノードＢ１０４から受信されたか否かがさらに判定される（ステップ２１４）。データブロックの送信が成功したことを示す確認応答（ＡＣＫ）メッセージが受信される場合、そのデータブロックはバッファ１２６から破棄され、関連付けられるＨ−ＡＲＱプロセス１２８が別のデータブロックを支援するために利用可能となり、データライフスパンタイマーがリセットされる（ステップ２１６）。フィードバックメッセージが受信されない場合、ＷＴＲＵ１０２は次のＴＴＩ（有効期間）までフィードバックメッセージを待つ（ステップ２１８）。
【００１７】
ステップ２１２でデータブロックがＷＴＲＵ１０２によりこれまでに前もって送信送信されていないことが判定される場合、またはそのデータブロックが送信されたが、そのデータブロックの送信が失敗したことを示す非確認応答（ＮＡＣＫ）メッセージが受信される場合、そのデータブロックは再送信される。制御装置１２２は、そのデータブロックに対するデータライフスパンタイマー１２４が満了直前か否かを判定する（ステップ２２０）。データライフスパンタイマー１２４が満了直前でない場合、通常のＨ−ＡＲＱ操作が、そのデータブロックを送信するために初期化される（ステップ２２２）。
【００１８】
ステップ２２４において、制御装置１２２は、データライフスパンタイマー１２４が満了直前であるときに物理リソースが割り振られたているか否かを判定する（ステップ２２４）。物理リソースが割り振られている場合、制御装置１２２はそのデータブロックの送信を随意的に任意に優先することができる（ステップ２２６）。物理リソースが割り振られていない場合、制御装置１２２は、そのデータブロックの送信を支援するために緊急チャンネル割り振り要求をノードＢに随意的に任意に送ることができる（ステップ２２８）。
【００１９】
ステップ２１４を再び参照すると、ＮＡＣＫメッセージが受信された場合、そのデータブロックは再送信され、制御装置１２２は再送カウンタ１３０が最大再送信制限に到達したか否かを判定することができる（ステップ２３０）。再送カウンタ１３０はデータブロックが再送信される度にインクリメント（増加）され、最大再送信制限はＲＮＣ１０６により構成設定される。再送カウンタ１３０が最大再送信制限に到達しない場合、プロセス２００はステップ２２０に進む。再送カウンタ１３０が最大再送信制限に到達するした場合、制御装置１２２は、そのデータブロックに対するライフスパンタイマー１２４が満了しない限り、Ｈ−ＡＲＱプロセス１２８を再初期化する（ステップ２３２）。再送カウンタ１３０が初期化され、新規のデータのインジケータ（指示子）がインクリメントされると、Ｈ−ＡＲＱプロセス１２８が再初期化されたことを示す。
【００２０】
本発明の特徴および構成要素を特定の組み合わせにおける好適な実施態様で説明したが、各特徴および構成要素は、その好適な実施態様の他の特徴および構成要素なしに単独で、または本発明の他の特徴および構成要素を様々に組み合わせて、または本発明の他の特徴および構成要素なしに、使用することができる。
【図面の簡単な説明】
【００２１】
【図１】本発明に従って操作する無線通信システムのブロックダイアグラムである。
【図２】本発明に従って図１のシステムのＷＴＲＵ内でデータライフスパンタイマーを実装するプロセスのフローダイアグラムである。
【図１】
2007536823.tif 000003
【図２】
2007536823.tif 000004
【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
無線送受信装置（ＷＴＲＵ）および少なくとも１つのノードＢを含む無線通信システムにおいて、拡張専用チャンネル（Ｅ−ＤＣＨ）のデータ送信を支援するために、前記ＷＴＲＵ内の少なくとも１つのデータライフスパンタイマーを利用する方法であって、
（ａ）前記ＷＴＲＵ内のバッファに送信すべきデータブロックを格納すること、
（ｂ）前記データブロックに対してデータライフスパンタイマーを起動すること、および
（ｃ）前記データライフスパンタイマーが満了するとき、前記データブロックを破棄すること
を含むことを特徴とする方法。
【請求項２】
（ｄ）ハイブリッド自動再送要求（Ｈ−ＡＲＱ）プロセスを割り当て、前記データブロックの送信を支援すること、
（ｅ）前記データライフスパンタイマーが満了するとき、前記Ｈ−ＡＲＱプロセスを解除すること、および
（ｆ）前記データブロックが破棄され、前記Ｈ−ＡＲＱプロセスが利用可能であることを示すメッセージを前記ノードＢに送ること
をさらに含むことを特徴とする請求項１に記載の方法。
【請求項３】
（ｄ）前記データブロックがすでに送信され、前記データライフスパンタイマーが満了直前でない場合、前記データブロックの送信に対する通常のハイブリッド自動再送要求（Ｈ−ＡＲＱ）の操作を初期化すること
をさらに含むことを特徴とする請求項１に記載の方法。
【請求項４】
前記無線通信システムは、無線ネットワーク制御装置（ＲＮＣ）をさらに含み、前記方法は、
（ｄ）前記ＲＮＣが、前記データライフスパンタイマーを設定すること
をさらに含むことを特徴とする請求項１に記載の方法。
【請求項５】
前記データライフスパンタイマーは、複数の転送チャンネル（ＴｒＣＨｓ）の各々に対して設定されることを特徴とする請求項４に記載の方法。
【請求項６】
前記データライフスパンタイマーは、複数の論理チャンネルの各々に対して設定されることを特徴とする請求項４に記載の方法。
【請求項７】
前記データライフスパンタイマーは、最大許容送信レイテンシ、確立した無線リンク制御（ＲＬＣ）設定および転送チャンネルブロックエラーレート（ＢＬＥＲ）のうち少なくとも１つに基づいてセットされることを特徴とする請求項１に記載の方法。
【請求項８】
（ｄ）前記データライフスパンタイマーが満了したか否かを定期的に判定すること
をさらに含むことを特徴とする請求項１に記載の方法。
【請求項９】
前記無線通信システムは、無線ネットワーク制御装置（ＲＮＣ）をさらに含み、前記方法は、
（ｄ）前記データライフスパンタイマーが満了したことを示すメッセージを前記ＲＮＣに送ること
をさらに含むことを特徴とする請求項１に記載の方法。
【請求項１０】
無線送受信装置（ＷＴＲＵ）および少なくとも１つのノードＢを含む無線通信システムにおいて、拡張専用チャンネル（Ｅ−ＤＣＨ）のデータ送信を支援するために、前記ＷＴＲＵ内の少なくとも１つのデータライフスパンタイマーを利用する方法であって、
（ａ）前記ＷＴＲＵ内のバッファに送信すべきデータブロックを格納すること、
（ｂ）前記データブロックに対してデータライフスパンタイマーを起動すること、および
（ｃ）前記データブロックが、前記ノードＢにより成功裡に受信されたことを示すフィードバック情報を前記ＷＴＲＵが受信するとき、前記データライフスパンタイマーが満了する前に前記データブロックを破棄すること
を含むことを特徴とする方法。
【請求項１１】
（ｄ）前記データブロックが前記ノードＢにより成功裡に受信されたことを示すフィードバック情報を前記ＷＴＲＵが受信するとき、前記データブロックに対する前記データライフスパンタイマーをリセットすること
をさらに含むことを特徴とする請求項１０に記載の方法。
【請求項１２】
（ｄ）ハイブリッド自動再送要求（Ｈ−ＡＲＱ）プロセスを割り当て、前記データブロックの送信を支援すること、および
（ｅ）前記データブロックが前記ノードＢにより成功裡に受信されたことを示すフィードバック情報を前記無線送受信装置が受信するとき、前記Ｈ−ＡＲＱプロセスを解除すること
をさらに含むことを特徴とする請求項１０に記載の方法。
【請求項１３】
無線送受信装置（ＷＴＲＵ）および少なくとも１つのノードＢを含む無線通信システムにおいて、拡張専用チャンネル（Ｅ−ＤＣＨ）のデータ送信を支援するために、前記ＷＴＲＵ内の少なくとも１つのデータライフスパンタイマーを利用する方法であって、
（ａ）前記ＷＴＲＵ内のバッファに送信すべきデータブロックを格納すること、
（ｂ）ハイブリッド自動再送要求（Ｈ−ＡＲＱ）プロセスを割り当て、前記データブロックの送信を支援すること、
（ｃ）前記データブロックに対してデータライフスパンタイマーを起動すること、
（ｄ）前記データブロックがすでに送信されたが、前記ノードＢにより成功裡に受信されなかった場合、設定された再送信制限に到達したか否かを判定すること、
（ｅ）再送信制限に到達し、かつライフスパンタイマーが満了しなかった場合、前記Ｈ−ＡＲＱプロセスを再び初期化すること、および
（ｆ）前記再送信制限に到達せず、前記データライフスパンタイマーが満了直前でない場合、前記データブロックの送信に対する通常のＨ−ＡＲＱ操作を初期化すること
を含むことを特徴とする前記方法。
【請求項１４】
無線送受信装置（ＷＴＲＵ）および少なくとも１つのノードＢを含む無線通信システムにおいて、拡張専用チャンネル（Ｅ−ＤＣＨ）のデータ送信を支援するために、前記ＷＴＲＵ内の少なくとも１つのデータライフスパンタイマーを利用する方法であって、
（ａ）前記ＷＴＲＵ内のバッファに送信すべきデータブロックを格納すること、
（ｂ）前記データライフスパンタイマーを起動すること、および
（ｃ）前記ライフスパンタイマーが満了直前である場合、前記データブロックの送信を支援するために、物理リソースが割り振られているか否かを判定すること
を含むことを特徴とする方法。
【請求項１５】
（ｄ）前記物理リソースが割り振られていない場合、前記データブロックの送信を支援するために、前記ノードＢに対して緊急チャンネル割り振り要求を送ること
をさらに含むことを特徴とする請求項１４に記載の方法。
【請求項１６】
（ｄ）前記物理リソースが割り振られている場合、前記データブロックを他のデータブロックに対して優先的に送信すること
をさらに含むことを特徴とする請求項１４に記載の方法。
【請求項１７】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために、少なくとも１つのデータライフスパンタイマーを利用し、前記ＷＴＲＵは、
（ａ）送信すべきデータブロックを格納するバッファと、
（ｂ）前記データブロックのライフスパンを設定するデータライフスパンタイマーと、
（ｃ）前記バッファおよび前記データライフスパンタイマーと通信する制御装置であって、前記データライフスパンタイマーが満了するときに前記データブロックを破棄する、制御装置と
を備えることを特徴とするＷＴＲＵ。
【請求項１８】
（ｄ）前記制御装置により割り当てられ、前記データブロックの送信を支援するハイブリッド自動再送要求（Ｈ−ＡＲＱ）プロセスであって、前記データライフスパンタイマーが満了するとき、前記制御装置が解除する前記Ｈ−ＡＲＱプロセス
をさらに備えることを特徴とする請求項１７に記載のＷＴＲＵ。
【請求項１９】
前記ＷＴＲＵは、前記データブロックが破棄され、前記Ｈ−ＡＲＱプロセスが利用可能であることを示すメッセージを前記ノードＢに送ることを特徴とする請求項１８に記載のＷＴＲＵ。
【請求項２０】
前記ＷＴＲＵは、前記データライフスパンタイマーが満了したことを示すメッセージを無線ネットワーク制御装置（ＲＮＣ）に送ることを特徴とする請求項１７に記載のＷＴＲＵ。
【請求項２１】
前記制御装置は、前記データブロックがすでに送信され、前記データライフスパンタイマーが満了直前でない場合、前記データブロックの送信のために通常のハイブリッド自動再送要求（Ｈ−ＡＲＱ）操作を初期化することを特徴とする請求項１７に記載のＷＴＲＵ。
【請求項２２】
前記無線通信システムは、前記データライフスパンタイマーを設定する無線ネットワーク制御装置（ＲＮＣ）をさらに含むことを特徴とする請求項１７に記載のＷＴＲＵ。
【請求項２３】
前記データライフスパンタイマーは、複数の転送チャンネル（ＴｒＣＨｓ）の各々に対して設定されることを特徴とする請求項２２に記載のＷＴＲＵ。
【請求項２４】
前記データライフスパンタイマーは、複数の論理チャンネルの各々に対して設定されることを特徴とする請求項２２に記載のＷＴＲＵ。
【請求項２５】
前記制御装置は、最大許容送信レイテンシ、確立した無線リンク制御（ＲＬＣ）設定および転送チャンネルブロックエラーレート（ＢＬＥＲ）のうち少なくとも１つに基づいて前記データライフスパンタイマーをセットすることを特徴とする請求項１７に記載のＷＴＲＵ。
【請求項２６】
前記制御装置は、前記データライフスパンタイマーが満了したか否かを定期的に判定することを特徴とする請求項１７に記載のＷＴＲＵ。
【請求項２７】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために、少なくとも１つのデータライフスパンタイマーを利用し、前記ＷＴＲＵは、
（ａ）送信すべきデータブロックを格納するバッファと、
（ｂ）前記データブロックのライフスパンを設定するデータライフスパンタイマーと、  （ｃ）前記バッファおよび前記データライフスパンタイマーと通信する制御装置であって、前記データブロックが前記ノードＢにより成功裡に受信されたことを示すフィードバック情報を前記ＷＴＲＵが受信するとき、前記データライフスパンタイマーが満了する前に前記データブロックを破棄する、制御装置
を備えることを特徴とするＷＴＲＵ。
【請求項２８】
前記制御装置は、前記データブロックが前記ノードＢにより成功裡に受信されたことを示すフィードバック情報を前記ＷＴＲＵが受信するとき、前記データライフスパンタイマーをリセットすることを特徴とする請求項２７に記載のＷＴＲＵ。
【請求項２９】
（ｄ）前記制御装置によって割り当てられ、前記データブロックの送信を支援するハイブリッド自動再送要求（Ｈ−ＡＲＱ）プロセスであって、前記データブロックが前記ノードＢにより成功裡に受信されたことを示すフィードバック情報を前記ＷＴＲＵが受信するとき、前記制御装置が解除する前記Ｈ−ＡＲＱプロセス
をさらに備えることを特徴とする請求項２７に記載のＷＴＲＵ。
【請求項３０】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために、少なくとも１つのデータライフスパンタイマーを利用し、前記ＷＴＲＵは、
（ａ）送信すべきデータブロックを格納するバッファと、
（ｂ）前記データブロックのライフスパンを設定するデータライフスパンタイマーと、
（ｃ）前記データブロックの送信を支援するハイブリッド自動再送要求（Ｈ−ＡＲＱ）プロセスと、
（ｄ）前記バッファおよび前記データライフスパンタイマーと通信する制御装置であって、前記制御装置は、前記データライフスパンタイマーを起動し、かつ前記データブロックに前記Ｈ−ＡＲＱプロセスを割り当て、（ｉ）前記データブロックがすでに送信されたが前記ノードＢにより成功裡に受信されなかった場合、前記制御装置は設定された再送信制限に到達したか否かを判定し、（ｉｉ）前記再送信制限に到達し、かつ前記ライフスパンタイマーが満了しなかったと前記制御装置が判定する場合、前記制御装置は、前記Ｈ−ＡＲＱプロセスを再初期化し、かつ（ｉｉｉ）前記再送信制限に到達せず、前記ライフスパンタイマーが満了直前でない場合、前記制御装置は、前記データブロックを送信するために通常のＨ−ＡＲＱ操作を初期化する、制御装置と
を備えることを特徴とするＷＴＲＵ。
【請求項３１】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために、少なくとも１つのデータライフスパンタイマーを利用し、前記ＷＴＲＵは、
（ａ）送信すべきデータブロックを格納するバッファと、
（ｂ）前記データブロックのライフスパンを設定するデータライフスパンタイマーと、
（ｃ）前記バッファおよび前記データライフスパンタイマーと通信する制御装置であって、前記制御装置は、前記データライフスパンタイマーが満了直前であるときに、前記データブロックの送信を支援するために、物理リソースが割り振られたか否かを判定する、制御装置と
を備えることを特徴とするＷＴＲＵ。
【請求項３２】
物理リソースが割り振られていないと前記制御装置が判定する場合、前記データブロックの送信を支援するために、前記ＷＴＲＵは前記ノードＢに対して緊急チャンネル割り振り要求を送ることを特徴とする請求項３１に記載のＷＴＲＵ。
【請求項３３】
物理リソースが割り振られていると前記制御装置が判定する場合、前記制御装置は前記データブロックを他のデータブロックに対して優先的に送信することを特徴とする請求項３１に記載のＷＴＲＵ。
【請求項３４】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために少なくとも１つのデータライフスパンタイマーを利用し、前記ＷＴＲＵ内の集積回路（ＩＣ）は、
（ａ）送信すべきデータブロックを格納するバッファと、
（ｂ）前記データブロックのライフスパンを設定するデータライフスパンタイマーと、
（ｃ）前記バッファおよび前記データライフスパンタイマーと通信する制御装置であって、前記データライフスパンタイマーが満了するときに、前記データブロックを破棄する、制御装置と
を備えることを特徴とする集積回路（ＩＣ）。
【請求項３５】
（ｄ）前記制御装置により割り当てられ、前記データブロックの送信を支援するハイブリッド自動再送要求（Ｈ−ＡＲＱ）プロセスであって、前記データライフスパンタイマーが満了するとき、前記制御装置が解除する前記Ｈ−ＡＲＱプロセス
をさらに備えることを特徴とする請求項３４に記載のＩＣ。
【請求項３６】
前記ＷＴＲＵは、前記データブロックが破棄されて、前記Ｈ−ＡＲＱプロセスが利用可能であることを示すメッセージを前記ノードＢに送ることを特徴とする請求項３５に記載のＩＣ。
【請求項３７】
前記ＷＴＲＵは、前記データライフスパンタイマーが満了したことを示すメッセージを無線ネットワーク制御装置（ＲＮＣ）に送ることを特徴とする請求項３４に記載のＩＣ。
【請求項３８】
前記データブロックがすでに送信され、前記データライフスパンタイマーが満了直前でない場合、前記制御装置は、前記データブロックの送信のために通常のハイブリッド自動再送要求（Ｈ−ＡＲＱ）操作を初期化することを特徴とする請求項３４に記載のＩＣ。
【請求項３９】
前記無線通信システムは、前記データライフスパンタイマーを設定する無線ネットワーク制御装置（ＲＮＣ）をさらに含むことを特徴とする請求項３４に記載のＩＣ。
【請求項４０】
前記データライフスパンタイマーは、複数の転送チャンネル（ＴｒＣＨｓ）の各々に対して設定されることを特徴とする請求項３９に記載のＩＣ。
【請求項４１】
前記データライフスパンタイマーは、複数の論理チャンネルの各々に対して設定されることを特徴とする請求項３９に記載のＩＣ。
【請求項４２】
前記制御装置は、最大許容送信レイテンシ、確立した無線リンク制御（ＲＬＣ）設定および転送チャンネルブロックエラーレート（ＢＬＥＲ）のうち少なくとも１つに基づいて、前記データライフスパンタイマーをセットすることを特徴とする請求項３４に記載のＩＣ。
【請求項４３】
前記制御装置は、前記データライフスパンタイマーが満了したか否かを定期的に判定することを特徴とする請求項３４に記載のＩＣ。
【請求項４４】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために、少なくとも１つのデータライフスパンタイマーを利用し、前記ＷＴＲＵ内の集積回路（ＩＣ）は、
（ａ）送信すべきデータブロックを格納するバッファと、
（ｂ）前記データブロックのライフスパンを設定するデータライフスパンタイマーと、  （ｃ）前記バッファおよび前記データライフスパンタイマーと通信する制御装置であって、前記データブロックが前記ノードＢにより成功裡に受信されたことを示すフィードバック情報を前記ＷＴＲＵが受信するとき、前記データライフスパンタイマーが満了する前に前記データブロックを破棄する、制御装置と
を備えることを特徴とする集積回路（ＩＣ）。
【請求項４５】
前記制御装置は、前記データブロックが前記ノードＢにより成功裡に受信されたことを示すフィードバック情報を前記ＷＴＲＵが受信するとき、前記データライフスパンタイマーをリセットすることを特徴とする請求項４４に記載のＩＣ。
【請求項４６】
（ｄ）前記制御装置によって割り当てられることで、前記データブロックの送信を支援するハイブリッド自動再送要求（Ｈ−ＡＲＱ）プロセスであって、前記データブロックが前記ノードＢにより成功裡に受信されたことを示すフィードバック情報を前記ＷＴＲＵが受信するとき、前記制御装置が解除する、Ｈ−ＡＲＱプロセス
をさらに備えることを特徴とする請求項４４に記載のＩＣ。
【請求項４７】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために、少なくとも１つのデータライフスパンタイマーを利用し、前記ＷＴＲＵ内の集積回路（ＩＣ）は、
（ａ）送信すべきデータブロックを格納するバッファと、
（ｂ）前記データブロックのライフスパンを設定するデータライフスパンタイマーと、
（ｃ）前記データブロックの送信を支援するハイブリッド自動再送要求（Ｈ−ＡＲＱ）プロセスと、
（ｄ）前記バッファおよび前記データライフスパンタイマーと通信する制御装置であって、前記制御装置は、前記データライフスパンタイマーを起動し、かつ前記データブロックに前記Ｈ−ＡＲＱプロセスを割り当て、（ｉ）前記データブロックがすでに送信されたが前記ノードＢにより成功裡に受信されなかった場合、前記制御装置は設定した再送信制限に到達したか否かを判定し、（ｉｉ）前記再送信制限に到達し、前記ライフスパンタイマーが満了しなかったと前記制御装置が判定する場合、前記制御装置は前記Ｈ−ＡＲＱプロセスを再初期化し、かつ（ｉｉｉ）前記再送信制限に到達せず、前記ライフスパンタイマーが満了直前でない場合、前記制御装置は前記データブロックを送信するために通常のＨ−ＡＲＱ操作を初期化する、制御装置と
を備えることを特徴とする集積回路（ＩＣ）。
【請求項４８】
無線送受信装置（ＷＴＲＵ）および少なくとも１つのノードＢを含む無線通信システムにおいて、前記ＷＴＲＵは、拡張専用チャンネル（Ｅ−ＤＣＨ）のデータ送信を支援するために少なくとも１つのデータライフスパンタイマーを利用し、前記ＷＴＲＵ内の集積回路（ＩＣ）は、
（ａ）送信すべきデータブロックを格納するバッファと、
（ｂ）前記データブロックのライフスパンを設定するデータライフスパンタイマーと、
（ｃ）前記バッファおよび前記データライフスパンタイマーと通信する制御装置であって、前記データライフスパンタイマーが満了直前であるときに、前記データブロックを送信するのを支援するために物理リソースが割り振られたか否かを判定する、制御装置と
を備えることを特徴とする集積回路（ＩＣ）。
【請求項４９】
物理リソースが割り振られていないと前記制御装置が判定する場合、前記データブロックの送信を支援するために、前記ＩＣは前記ノードＢに対して緊急チャンネル割り振り要求を送ることを特徴とする請求項４８に記載のＩＣ。
【請求項５０】
物理リソースが割り振られていると前記制御装置が判定する場合、前記制御装置は前記データブロックを他のデータブロックに対して優先的に送信することを特徴とする請求項４８に記載のＩＣ。
【国際調査報告】
2007536823.tif 000005